(57)【要約】【課題】  従来の画像読取装置においてゴミ・キズ情報を検出するためには、反射原稿光源と透過原稿光源とを切り替えることが必要であり、一般的に使用される冷陰極線管(以下、CCFL)の特性から、一度CCFLを消してしまうと、画像読取に必要な輝度に達するまで、時間が掛かってしまうため、画像データを出力するまでに長時間を要することとなる。【解決手段】  原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段と、前記第１及び第２の光源と前記データ取得手段の動作を制御する制御手段とを備え、前記制御手段は、前記第１及び第２の光源の双方を点灯させている場合に、前記データ取得手段が前記第１の光源から照射された光を受光しない位置へ前記第１の光源を移動させることを特徴とする。【選択図】図１
2005197807.tif 000002
【特許請求の範囲】
【請求項１】
原稿に対して第１の側に位置する第１の光源と、
前記原稿に対して前記第１の側とは逆の第２の側に位置する第２の光源と、
前記第１の光源から照射され前記原稿を透過した光、及び、前記第２の光源から照射され前記原稿で反射した光を受光し、電子的な画像データを取得するデータ取得手段と、
前記第１及び第２の光源と前記データ取得手段の動作を制御する制御手段とを備え、
前記制御手段は、前記第１及び第２の光源の双方を点灯させている場合に、前記データ取得手段が前記第１の光源から照射された光を受光しない位置へ前記第１の光源を移動させることを特徴とする画像読取装置。
【請求項２】
前記第１の光源から照射され前記原稿を透過した光を前記データ取得手段が受光して前記電子的な画像データを取得する場合に、前記制御手段は、前記第１の光源のみを点灯させることを特徴とする請求項１に記載の画像読取装置。
【請求項３】
原稿に対して第１の側に位置する第１の光源と、
前記原稿に対して前記第１の側とは逆の第２の側に位置する第２の光源と、
前記第１の光源から照射され前記原稿を透過した光、及び、前記第２の光源から照射され前記原稿で反射した光を受光し、電子的な画像データを取得するデータ取得手段と、
前記第１の光源から照射される光を遮蔽するための遮蔽手段と、
前記第１及び第２の光源、前記データ取得手段、及び前記遮蔽手段の動作を制御する制御手段とを備え、
前記制御手段は、前記第１及び第２の光源の双方を点灯させている場合に、前記データ取得手段が前記第１の光源から照射された光を受光しないように前記遮蔽手段に前記第１の光源からの光を遮蔽させることを特徴とする画像読取装置。
【請求項４】
前記第１の光源から照射され前記原稿を透過した光を前記データ取得手段が受光して前記電子的な画像データを取得する場合に、前記制御手段は、前記第１の光源のみを点灯させることを特徴とする請求項３に記載の画像読取装置。
【請求項５】
前記原稿で反射した光に基づいて前記データ取得手段により取得された画像データから、前記原稿上に形成された非画像情報を検出する検出手段と、
前記検出手段により検出された前記非画像情報に基づいて、前記原稿を透過した光に基づいて前記データ取得手段により取得された画像データを補正する補正手段と
を更に備えることを特徴とする請求項２又は４に記載の画像読取装置。
【請求項６】
前記非画像情報は、前記原稿に付着したゴミ又はキズの位置及び大きさに関する情報であることを特徴とする請求項５に記載の画像読取装置。
【請求項７】
前記検出手段は、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項５又は６に記載の画像読取装置。
【請求項８】
請求項２又は請求項４に記載の画像読取装置と、
前記原稿で反射した光に基づいて前記データ取得手段により取得された画像データから、前記原稿上に形成された非画像情報を検出する検出手段と、前記検出手段により検出された前記非画像情報に基づいて、前記原稿を透過した光に基づいて前記データ取得手段により取得された画像データを補正する補正手段とを備える画像処理装置とから構成されることを特徴とする画像処理システム。
【請求項９】
前記非画像情報は、前記原稿に付着したゴミ又はキズの位置及び大きさに関する情報であることを特徴とする請求項８に記載の画像処理システム。
【請求項１０】
前記検出手段は、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項８又は９に記載の画像処理システム。
【請求項１１】
原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備える画像読取装置の制御方法であって、
前記第１の光源を点灯させる工程と、
前記第２の光源を点灯させる工程と、
前記第１及び第２の光源の双方を点灯させている場合に、前記データ取得手段が前記第１の光源から照射された光を受光しない位置へ前記第１の光源を移動させる工程と、
前記第２の光源から照射され前記原稿で反射した光を前記データ取得手段により受光し、電子的な画像データを取得する第１の取得工程と
を備えることを特徴とする画像読取装置の制御方法。
【請求項１２】
前記第２の光源を消灯させる工程と、
前記第２の光源の消灯後に、前記第１の光源から照射され前記原稿を透過した光を前記データ取得手段により受光し、電子的な画像データを取得する第２の取得工程と
を更に備えることを特徴とする請求項１１に記載の画像読取装置の制御方法。
【請求項１３】
原稿に対して第１の側に位置する第１の光源と、前記原稿に対して前記第１の側とは逆の第２の側に位置する第２の光源と、前記第１の光源から前記原稿を透過した光、及び、前記第２の光源から照射され前記原稿で反射した光を受光し、電子的な画像データを取得するデータ取得手段とを備える画像読取装置の制御方法であって、
前記第１の光源を点灯させる工程と、
前記第２の光源を点灯させる工程と、
前記第１及び第２の光源の双方を点灯させている場合に、前記第１の光源から照射される光を遮蔽する遮蔽工程と、
前記第１の光源から照射された光を遮蔽した状態で、前記第２の光源から照射され前記原稿で反射した光を前記データ取得手段により受光し、電子的な画像データを取得する第１の取得工程と
を備えることを特徴とする画像読取装置の制御方法。
【請求項１４】
前記第２の光源を消灯させる工程と、
前記第２の光源の消灯後に、前記第１の光源から照射され前記原稿を透過した光を前記データ取得手段により受光し、電子的な画像データを取得する第２の取得工程と
を更に備えることを特徴とする請求項１３に記載の画像読取装置の制御方法。
【請求項１５】
前記原稿で反射した光に基づいて前記データ取得手段により取得された画像データから、前記原稿上に形成された非画像情報を検出する検出工程と、
前記検出工程において検出された前記非画像情報に基づいて、前記原稿を透過した光に基づいて前記データ取得手段により取得された画像データを補正する補正工程と
を更に備えることを特徴とする請求項１２又は１４に記載の画像読取装置の制御方法。
【請求項１６】
前記非画像情報は、前記原稿に付着したゴミ又はキズの位置及び大きさに関する情報であることを特徴とする請求項１５に記載の画像読取装置の制御方法。
【請求項１７】
前記検出工程では、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項１５又は１６に記載の画像読取装置の制御方法。
【請求項１８】
請求項１１乃至請求項１７のいずれか１項に記載の画像読取装置の制御方法をコンピュータに実行させるための画像読取装置の制御プログラム。
【請求項１９】
請求項１８に記載の画像読取装置の制御プログラムを格納した、コンピュータで読取可能な記録媒体。
【発明の詳細な説明】
【技術分野】
【０００１】
この発明は原稿の画像情報を読み取り処理する画像処理技術に関する。
【背景技術】
【０００２】
近年、通信ネットワークの発達、コンピュータの高速化及び記憶媒体の大容量化に伴い、カラー画像情報を取り扱う上で、より高画質化が望まれるようになってきており、中でもスキャナなどで行うカラー画像情報の読み取りを、より正確に高速、高画質で行いたいという要求が高まってきている。
【０００３】
また、写真フィルムの画像読み取りに対する要求も、複数コマを有するスリーブ形態の写真フィルム画像情報をより正確に、かつ高速及び高画質で読み取りたいという要求も高まってきている。より高画質にフィルムを読み取る方法として、フィルム上のゴミ・キズ除去処理を行う提案がなされている（例えば、特許文献１を参照。）。同提案によれば、ゴミ・キズ情報を検出するための赤外LEDと画像情報読取のための光源を有する面光源として構成されており、ゴミ・キズ情報が除去された画像を読み取ることが可能となっている。
【０００４】
同提案による形態を簡単に図２を用いて説明する。図２は、書類原稿等と写真フィルムをそれぞれ読み取り可能とする画像読取装置の一例である。
【０００５】
画像読取装置１には、写真フィルム２０を読み取る際に必要な透過原稿用照明装置２が設置され、画像読取装置制御基板３から制御可能なように透過原稿用光源点灯インバータ４とI/Fケーブル５によって電気的に接続されている。同図では、被読み取り透過原稿を可視光、及び赤外光で照射するための透過原稿用光源６を有していることを示している。また、被読み取り原稿とCCDイメージセンサ７を光学的に結像するために必要な第１反射ミラー８、第２反射ミラー９、第３反射ミラー１０、第４反射ミラー１１、第５反射ミラー１２とレンズ１３、可視光用光路長補正ガラス２１、さらに書類原稿等を照射するための反射原稿用照明光源１４を一体の移動部材とする光学ユニット１５は、画像入力装置制御基板３と信号ケーブル１６に電気的に接続されているモータ１７によって、図示された走査方向矢印の向きに走査しながら画像を読み取る構成となっている。また、可視光用光路長補正ガラス２１は、倒すことによって、光路から外したり、起立させることによって光路上に挿入したりすることが可能となっている。CCDイメージセンサ７と画像入力装置制御基板３は、信号ケーブル１８によって電気的に接続されており、モータ１７によって、光学ユニット１５を副走査方向に動かす。画像読取装置制御基板３は、外部インターフェース１９に接続されており、この外部インターフェース１９を介して外部から画像読取装置制御基板３を制御し、CCDイメージセンサ７により光電変換された電気信号を画像データとして外部へ出力する。
【０００６】
フィルム原稿２０のゴミ・キズ情報を検出するために、透過原稿用光源６から赤外光を照射し、可視光用光路長補正ガラス２１を起こして、フィルム原稿表面で赤外光のピントが合うように光路長を調整する。この状態で、画像装置制御基板３を用いて、光学ユニット１５を制御することで、赤外光を照射してフィルム原稿を走査した画像データが得られる。一般的に、フィルム原稿は赤外光を透過し、ゴミ・キズ領域のみ赤外光を遮蔽するため、画像データ上の輝度を調べることで、ゴミ・キズ情報の検出が可能となる。
【特許文献１】特開平２００１-２９８５９３号公報
【発明の開示】
【発明が解決しようとする課題】
【０００７】
しかしながら、上記の画像読取装置においてゴミ・キズ情報を検出するためには、反射原稿光源と透過原稿光源とを切り替えることが必要であり、一般的に使用される冷陰極線管(以下、CCFL)の特性から、一度CCFLを消してしまうと、画像読取に必要な輝度に達するまで、時間が掛かってしまうため、画像データを出力するまでに長時間を要することとなる。
【０００８】
そこで、本発明は、透過原稿用光源を消灯しなくても、ゴミ・キズ情報を検出することを可能とすることを目的とする。
【課題を解決するための手段】
【０００９】
上記課題を解決するための本発明は、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段と、前記第１及び第２の光源と前記データ取得手段との動作を制御する制御手段とを備え、前記制御手段は、前記第１及び第２の光源の双方を点灯させている場合に、前記データ取得手段が前記第１の光源から照射された光を受光しない位置へ前記第１の光源を移動させることを特徴とする。
【発明の効果】
【００１０】
本発明によれば、原稿に対して第１の側に位置する第１の光源と前記原稿に対して第２の側に位置する第２の光源をそれぞれ用いて原稿の読み取りを実行する場合に、第１の光源を消さずに第２の光源を用いた読み取りを実行することが可能となる。
【発明を実施するための最良の形態】
【００１１】
以下、添付図面を参照して本発明の実施の形態を詳細に説明する。
【００１２】
［実施形態１］
図１は、本実施形態に対応する画像処理方法を実現する画像読取装置の構成例である。
【００１３】
画像読取装置１００には、写真フィルム１２０を読み取る際に必要な透過原稿用照明装置１０２が設置され、画像読取装置制御基板１０３から制御可能なように透過原稿用光源点灯インバータ１０４とI/Fケーブル１０５によって電気的に接続されている。透過原稿用照明光源１０６は、モータ１２１によって、副走査方向に移動可能となっている。このモータ１２１は、画像読取装置制御基板１０３と信号ケーブル１２２によって接続され、画像読取装置制御基板１０３によって制御される。
【００１４】
また、被読み取り原稿とCCDイメージセンサ１０７を光学的に結像するために必要な第１反射ミラー１０８、第２反射ミラー１０９、第３反射ミラー１１０、第４反射ミラー１１１、第５反射ミラー１１２とレンズ１１３、さらに書類原稿等を照射するための反射原稿用照明光源１１４を一体の移動部材とする光学ユニット１１５は、画像読取装置制御基板１３と信号ケーブル１１６に電気的に接続されているモータ１１７によって、図示された走査方向矢印の向きに走査しながら画像を読み取る構成となっている。
【００１５】
このとき、透過原稿用光源１２２が、モータ１２１によって、光学ユニット１１５と同期を取りながら移動することにより、フィルム原稿１２０に光を放射する。
【００１６】
CCDイメージセンサ１０７と画像読取装置制御基板１０３は、信号ケーブル１１８によって電気的に接続されており、モータ１１７によって、光学ユニット１１５を副走査方向に動かす。画像読取装置制御基板１０３は、外部インターフェース１１９に接続されており、このインターフェースを介して外部から画像読取装置制御基板を制御し、CCDイメージセンサ１０７により光電変換された電気信号を画像データとして外部へ出力する。
【００１７】
図３は、本実施形態に対応する画像処理方法を実現する画像読取装置のハードウェア構成の一例を示すブロック図である。フィルム原稿を照射するための透過原稿用光源ユニット３０１は、透過原稿用光源である冷陰極蛍光ランプ３０２と、光源からの光をフィルム原稿に垂直に照射するためのライトガイド３０３が含まれる。冷陰極蛍光ランプ３０２は、冷陰極蛍光ランプ点灯回路３０４と接続されており、冷陰極蛍光ランプ点灯回路３０４はシステムコントローラ３０５によって制御される。
【００１８】
光学ユニット３０６は、反射原稿用照明光源である冷陰極蛍光ランプ３０７と、ＣＣＤイメージセンサ３０８が含まれる。冷陰極蛍光ランプ３０７は、冷陰極蛍光ランプ点灯回路３０９と接続されており、冷陰極蛍光ランプ点灯回路３０９はシステムコントローラ３０５によって制御される。ＣＣＤイメージセンサ３０８は、システムコントローラ３０５によって制御され、ＣＣＤイメージセンサ３０８から出力された信号は、アナログ処理回路３１０を通り、Ａ／Ｄ変換回路３１１を通り、画像処理回路３１２を通りバッファ３１３にたまる。システムコントローラ３０５、バッファ３１３、インターフェース３１４はバス３１５によって接続されており、相互のデータ通信が可能となっている。また、バッファ３１３にたまった信号は、画像データとしてインターフェース３１４を通り、外部機器３１６に送られる。外部機器３１６には、例えば、汎用パーソナルコンピュータが含まれる。
【００１９】
次に、透過原稿用照明光源１０６を用いてフィルム原稿１２０を読み取る場合を、図４を参照して説明する。
【００２０】
この場合において、反射原稿用照明光源１１４は消灯しておき、透過原稿用照明１０６のみを点灯させておく。図４に示す光学ユニット１１５の位置では、光学ユニット１１５の頭上に透過原稿用照明１０６があるため、透過原稿用照明光源１０６から照射されフィルム原稿１２０を透過した光が、光学ユニット１１５の中の各ミラーで反射を繰り返してCCDイメージセンサ１０７に入射する。この状態を保ちながら、光学ユニット１１５及び、透過原稿用照明１０６を同期させて、フィルム原稿１２０を副走査方向に走査することで画像データを得ることができる。
【００２１】
このようにして、透過原稿用照明光源１０６を用いてフィルム原稿１２０を読み取った場合に取得される画像データの一例は、図７に示すようになる。図７に示すように、透過原稿用照明光源１１４から放射された光のうち、フィルム原稿１２０表面のゴミ・キズ部分に照射された光は遮蔽されて、ＣＣＤイメージセンサ１０７へ入射しないので、ゴミ・キズがない他の領域のみが有意な画素値として検出される。よって、画像データにはゴミ・キズ部分が残存している。
【００２２】
次に、反射原稿用照明光源１１４を用いて、フィルム原稿１２０を読み取る場合を、図６を参照して説明する。
【００２３】
この場合では、反射原稿用照明光源１１４と共に、透過原稿用照明光源１０６も点灯しておく。図６に示す光学ユニット１１５の位置では、光学ユニット１１５の頭上には、透過原稿用照明１０６が無いため、フィルム原稿１２０を透過した光は、光学ユニット１１５の中に入射せず、CCDイメージセンサ１０７にも入射しない。この状態を保ちながら、光学ユニット１１５及び、透過原稿用照明光源１０６を移動させて、フィルム原稿１２０を走査する。
【００２４】
一方、反射原稿用照明光源１１４からフィルム原稿１２０へ照射された光は、フィルム原稿１２０表面のゴミ・キズの位置に入射すると反射して、光学ユニット１１５内の各ミラーで反射を繰り返してCCDイメージセンサ１０７に入射するため、ゴミ・キズ情報を検出するための画像データを得ることができる。
【００２５】
このようにして、反射原稿用照明光源１１４を用いてフィルム原稿１２０を読み取った場合に取得される画像データの一例は、図５に示すようになる。図５に示すように、反射原稿用照明光源１１４から放射された光のうち、フィルム原稿１２０表面のゴミ・キズ部分に照射された光が反射して、ＣＣＤイメージセンサ１０７へ入射するので、ゴミ・キズ部分のみが有意な画素値が検出され、ゴミ・キズがない他の領域は有意な画素値が検出されない。
【００２６】
図８は、画像読取装置１００から出力される画像データに対し、ゴミ・キズ補正を行うゴミ・キズ除去部８００の構成の一例を示すブロック図である。当該ゴミ・キズ除去部８００は、図３に示す外部機器３１６としてのパーソナルコンピュータにおいて構成されることが好ましいが、画像読取装置１００内に構成されても良い。
【００２７】
以下、本実施形態におけるゴミ・キズ除去処理につき、図８のブロック図及び図１１のフローチャートを参照して説明する。図１１は、本実施形態に対応する、画像データからゴミ・キズ情報を除去する処理の一例に対応するフローチャートである。
【００２８】
まず、ステップＳ１１０１において、画像読取装置１００から反射原稿用照明光源１１４を利用して読み込まれた画像データが、インターフェース８０１を通り、反射原稿用光源画像メモリ８０３に蓄積される。
【００２９】
更に、ステップＳ１１０２において、画像読取装置１００から透過原稿用照明光源１０６を利用して読み込まれた画像データが、インターフェース８０１を通り、透過原稿用光源画像メモリ８０２に蓄積される。
【００３０】
ステップＳ１１０３において、ゴミ・キズ検出処理部８０４は画像メモリ８０３に蓄えられた画像データからゴミ・キズ情報を検出し、検出したゴミ・キズ情報をゴミ・キズ補正処理部８０５へ送信する。ステップＳ１１０４において、ゴミ・キズ補正処理部８０５では、受信したゴミ・キズ情報を利用して画像メモリ８０２に蓄えられた画像データを補正する。
【００３１】
より具体的には、反射原稿光源画像メモリ８０３には図５に示すような画像データが格納されており、この画像データはゴミ・キズ領域の場所のみ、反射した光の輝度が記録されている。よって、ゴミ・キズ検出処理部８０４では記録された輝度情報を元にゴミ・キズ情報の検出を行うことが可能となる。この検出は、例えば、画像データを構成する各画素値を所定の閾置と比較し、閾置を越えた値を有する画素値をゴミ・キズを表す画素として検出することにより行うことができる。また、検出された画素の画像データ全体における位置を保持しておけば、ゴミ・キズの位置を容易に特定できる。
【００３２】
ゴミ・キズ補正処理部８０５は、検出されたゴミ・キズ情報を利用すれば、図７に示すようなゴミ・キズ情報も含めて取得された画像データに対し、ゴミ・キズの位置・大きさを特定して、その個所の画像データを他の場所の画像データから補間することで、ゴミ・キズが含まれない画像データを生成することができる。当該補間方法は、公知の技術ゆえ、ここでは詳細についての説明は省略する。
【００３３】
以上のゴミ・キズ補正処理により得られる画像データの一例は、図９に示すようになる。図９に示すように、ゴミ・キズ補正処理によれば、図５で示す位置に形成された図７に示す画像データ中のゴミ・キズが除去され、ゴミ・キズの無い画像データとして取得できる。
【００３４】
図１０を用いて、以上の動作シーケンスをフローチャートを用いて説明する。この処理は、外部機器３１６及びシステムコントローラ３０５の制御により実行される。
【００３５】
ステップ１００１において、透過原稿用照明光源１０６と反射原稿用照明光源１１４の双方を点灯させる。ある種の冷陰極蛍光ランプでは、十分な輝度が得られるまで、多少の時間がかかるため、このステップにおいて、十分な輝度が得られるまで待機する。
【００３６】
ステップＳ１００２において、透過原稿用照明光源１０６から放射された光が光学ユニット１１５に入射しない位置に透過原稿用照明光源１０６を移動させ、さらに、読み取るフィルム原稿１２０が置いてある読取先端位置に光学ユニット１１５を透過原稿用照明光源１０６と同期させながら移動させる。ステップＳ１００３において、反射原稿用照明光源１１４を用いてフィルム原稿１２０の画像情報を読み取る。ステップＳ１００４において、光学ユニット１１５を所定の待機位置へ移動させておく。
【００３７】
ステップＳ１００５において、反射原稿用照明光源１１４を消灯させる。ステップＳ１００６において、透過原稿用照明光源１０６から放射された光が光学ユニット１１５に入射する位置に、透過原稿用照明光源１０６を移動させる。ステップＳ１００７において、光学ユニット１１５を読み取るフィルム原稿１２０が置いてある読取先端位置へ、透過原稿用照明光源１０６を同期させながら移動させる。ステップＳ１００８において、透過原稿用照明光源１０６を用いて、画像を読み取る。
【００３８】
ステップＳ１００９において、光学ユニット１１５及び透過原稿用照明光源１０６を所定の待機位置へ移動させておく。ステップＳ１０１０において、ゴミ・キズ検出処理部８０４にて読み取った画像データをもとにゴミ・キズ情報を検出する処理を行う。
ステップＳ１０１１において、ステップＳ１０１０で得られたゴミ・キズ情報を元に、ゴミ・キズ補正処理部８０５にて画像データを補正する。
【００３９】
なお、以上のシーケンスでは、最初に反射原稿用照明光源１１４を用いて、次に透過原稿用照明光源１０６を用いているが、この順序は重要でなく、最初に透過原稿用照明光源１０６を用いて通常のフィルム原稿の画像読み取りを実行し、次に反射原稿用照明光源１１４を用いてフィルム原稿を照射し、フィルム原稿のゴミ・キズ情報の読み取りを実行してもよい。
【００４０】
以上のように、本実施形態に対応する画像読取装置によれば、透過原稿用照明光源１０６から放射された光がCCDセンサ１０７に入らない位置に、透過原稿用照明光源１０６を移動させた上で、反射原稿用照明光源１１４を利用したゴミ・キズ情報の読取を行うので、ゴミ・キズ情報の読取の間においても透過原稿用照明光源１０６を消灯する必要がなくなる。
【００４１】
よって、フィルム原稿１２０の画像情報を透過原稿用照明光源１０６を用いて読み取ろうとした場合でも、光源が必要な輝度レベル達するまで待機する必要がなくなり、直ちに読取処理を実行することができるようになる。よって、短時間でにゴミ・キズ情報を除去したフィルム画像データを出力することが可能となる。
【００４２】
［実施形態２］
本実施形態における画像読取装置１００の構成は、図１２に示すとおりであり、図１に示す実施形態１に対応する画像読取装置１００と基本的には同様である。また、本実施形態に対応する画像読取装置のハードウェア構成も、図３に示す構成とほぼ同様となる。
【００４３】
但し、実施形態１と実施形態２とでは、透過原稿用照明光源１０６の構成が異なる。実施形態１では、モータ１２１によって副走査方向に移動する形態であったが、本実施形態の場合、透過原稿用照明光源１０６は、副走査方向に移動せず、フィルム原稿１２０全体を一括して照明するように配置される。
【００４４】
図１３は、図１２における透過原稿用照明装置１０２を、画像読取装置１００の上方から見た場合の一例を示した図である。ここにおいて、透過原稿用照明光源１０６は、透過原稿用光源点灯インバータ１０４に接続され、透過原稿用照明光源１０６を遮光するための遮光板１３０１を、モータ１３０２の駆動によって移動させることができる。モータ１３０２は、配線１３０３により、画像読取装置制御基板１０３と接続され、その動作が制御される。
【００４５】
即ち、モータ１３０２は、画像読取装置制御基板１０３からの制御により図１２に示すように時計回り又は反時計回りに回転し、遮光板１３０１を透過原稿用照明光源１０６とフィルム原稿１３０との間に挿入したり、引き抜いたりするように動作する。
【００４６】
例えば、透過原稿用照明光源１０６を利用してフィルム原稿１２０を読み取る場合には、透過原稿用照明光源１０６と遮光板１３０１との位置関係は図１４に示すようになる。
【００４７】
ここで遮光板１３０１は、透過原稿用照明光源１０６を遮蔽しない位置に移動しており、透過原稿用照明光源１０６は点灯している。図１４に示すような遮光板１３０１の位置では、透過原稿用照明光源１０６からの光が遮蔽されないため、フィルム原稿１２０を透過した光が、光学ユニット１１５の中を通り、CCDイメージセンサ１０７に入射する。この状態を保ちながら、光学ユニット１１５を用いて、フィルム原稿１２０を走査することで画像データを得ることができる。この時取得される画像データは、例えば、図７に示すようになる。
【００４８】
一方、透過原稿用照明光源１０６からフィルム原稿１２０へ照射される光を遮って、反射原稿用照明光源１１４を用いて、フィルム原稿１２０上のゴミ・キズ情報を読み取る場合には、透過原稿用照明光源１０６と遮光板１３０１との位置関係は図１５に示すようになる。
【００４９】
この場合、遮光板１３０１は、透過原稿用照明光源１０６を遮蔽する位置に移動しており、透過原稿用照明光源１０６は点灯している。図１５に示す遮光板１３０１の位置では、透過原稿用照明光源１０６からの光が遮光されるため、透過原稿用照明光源１０６から放射された光は、フィルム原稿１２０に入射せず、CCDイメージセンサ１０７にも入射しない。このような遮光板１３０１と透過原稿用照明光源１０６との位置関係を保ちながら、反射原稿用照明光源１１４を用いてフィルム原稿１２０を照射し、光学ユニット１１５を用いてフィルム原稿１２０を走査することで、フィルム原稿１２０上に形成されたゴミ・キズ情報を検出するための画像データを得ることができる。この時取得される画像データは、例えば、図５に示すようになる。
【００５０】
このように、本実施形態においても、図５に対応する画像データには、ゴミ・キズ領域の場所のみ、反射した光の輝度が記録されている。この記録されている情報を元にして、ゴミ・キズ情報の検出を行う。図７に対応する画像データに対し、ゴミ・キズ情報からゴミ・キズの位置・大きさが特定できるため、その個所の画像データを他の場所の画像データから補間することで、ゴミ・キズが含まれない例えば図９に示すような画像データを得ることができる。
【００５１】
図１６を用いて、以上の動作シーケンスをフローチャートを用いて説明する。この処理は、外部機器３１６及びシステムコントローラ３０５の制御により実行される。ステップＳ１６０１において、透過原稿用照明光源１０６と反射原稿用照明光源１１４との双方を点灯させる。ある種の冷陰極蛍光ランプでは、十分な輝度が得られるまで、多少の時間がかかるため、このステップにおいて、十分な輝度が得られるまで待機する。
【００５２】
ステップＳ１６０２において、透過原稿用照明光源１０６から放射された光が光学ユニット１１５に入射しないように遮蔽する位置に遮蔽板１３０１を移動させる。ステップＳ１６０３において、読み取るフィルム原稿１２０が置いてある読取先端位置へ、光学ユニット１１５を移動させる。ステップＳ１６０４において、反射原稿用照明光源１１４を用いてフィルム原稿１２０の画像情報を読み取る。ステップＳ１６０５において、光学ユニット１１５を所定の待機位置へ移動させておく。
【００５３】
ステップＳ１６０６において、反射原稿用照明光源１１４を消灯させる。ステップＳ１６０７において、透過原稿用照明光源１０６から放射された光が光学ユニット１１５に入射する位置に遮蔽板１３０１を移動させる。ステップＳ１６０８において、フィルム原稿１２０が置いてある読取先端位置へ光学ユニット１１５を移動させる。ステップＳ１６０９において、透過原稿用照明光源１０６を用いて、フィルム原稿１２０の画像情報を読み取る。ステップＳ１６１０において、光学ユニット１１５を所定の待機位置へ移動させておく。
【００５４】
ステップＳ１６１１において、ゴミ・キズ検出処理部８０４にて読み取った画像データをもとにゴミ・キズ情報を検出する処理を行う。ステップＳ１６１２において、ステップＳ１６０９で得られたゴミ・キズ情報を元に、ゴミ・キズ補正処理部８０５にて画像データを補正する。
【００５５】
なお、このシーケンスでは、最初に反射原稿用照明光源１１４を用いて、次に透過原稿用照明光源１０６を用いているが、この順序は重要でなく、最初に透過原稿用照明光源１０６を用いて通常のフィルム原稿の画像読み取りを実行し、次に反射原稿用照明光源１１４を用いてフィルム原稿を照射し、フィルム原稿のゴミ・キズ情報の読み取りを実行してもよい。
【００５６】
以上のように、本実施形態に対応する画像読取装置によれば、透過原稿用照明光源１０６から放射された光を遮蔽板１３０１により遮蔽してCCDセンサ１０７への入射を防止した上で、反射原稿用照明光源１１４を利用したゴミ・キズ情報の読取を行うので、ゴミ・キズ情報の読取の間においても透過原稿用照明光源１０６を消灯する必要がなくなる。
【００５７】
よって、フィルム原稿１２０の画像情報を透過原稿用照明光源１０６を用いて読み取ろうとした場合でも、光源が必要な輝度レベル達するまで待機する必要がなくなり、直ちに読取処理を実行することができるようになる。よって、短時間でにゴミ・キズ情報を除去したフィルム画像データを出力することが可能となる。
【００５８】
［その他の実施形態］
本発明の目的は、前記した実地形態の機能を実現するソフトウェアのプログラムコードを記録した記憶媒体、または記録媒体が、システム、または装置に付随し、そのシステム、または装置のコンピュータ（処理演算装置を含む）が記憶媒体、または記録媒体に記録されたソフトウェアのプログラムコードを読み出し、実行することによっても達成される。この場合、記憶媒体、または記憶媒体から読み出されたソフトウェアのプログラムコードが前記した実施形態の機能を実現することになる。そして、そのソフトウェアのプログラムコードを記録された記憶媒体、または記録媒体は、本発明を構成する。
【００５９】
また、システム、または装置のコンピュータが読み出したソフトウェアのプログラムコードを実行することにより、前記した実施形態の機能が実現するだけでなく、そのソフトウェアのプログラムコードの内容にもとづき、コンピュータ上で稼動しているオペレーションシステムが実際の処理の一部、または全部を担い、その処理によって前記した実施形態の機能が実現することになる。
【００６０】
記憶媒体、または記録媒体から読み出されたソフトウェアのプログラムコードが、システム、または装置のコンピュータに付随する機能を拡張するためのハードウェアに備わる記憶媒体、または記録媒体に移された後、そのソフトウェアのプログラムコードの内容にもとづき、システム、または装置のコンピュータに付随する機能を拡張するためのハードウェアに備わる処理演算装置などが、実際の処理の一部、または全部を担い、その処理によって前記した実施形態の機能が実現することになる。
【図面の簡単な説明】
【００６１】
【図１】本発明の実施形態１に対応する、画像読取装置の構成の一例を示す図である。
【図２】従来の画像読取装置の構成の一例を示す図である。
【図３】本発明の実施形態に対応する、画像読取装置１００のハードウェア構成の一例を示す図である。
【図４】本発明の実施形態１に対応する、透過原稿用照明光源１０６を用いた場合のフィルム原稿１２０の読み取りについて説明するための図である。
【図５】本発明の実施形態１に対応する、フィルム原稿１２０を反射原稿用照明光源１１４で読み取った場合に得られる画像データの一例を示す図である。
【図６】本発明の実施形態に対応する、反射原稿用照明光源１１４を用いた場合のフィルム原稿１２０の読み取りについて説明するための図である。
【図７】本発明の実施形態に対応する、フィルム原稿１２０を反射原稿用照明光源１１４で読み取った場合に得られる画像データの一例を示す図である。
【図８】本発明の実施形態に対応する、ゴミ・キズ除去部８００の構成の一例を示す図である。
【図９】本発明の実施形態に対応する、フィルム原稿１２０を透過原稿用照明光源１０６で読み取った時の画像データからゴミ・キズを除去して得られる画像データの一例を示す図である。
【図１０】本発明の実施形態１に対応する、画像読取装置１００における処理の一例に対応するフローチャートである。
【図１１】本発明の実施形態に対応する、ゴミ・キズ除去処理の一例に対応するフローチャートである。
【図１２】本発明の実施形態２に対応する、画像読取装置の構成の一例を示す図である。
【図１３】本発明の実施形態２に対応する、透過原稿用照明光源１０６を遮光させるための透過原稿用照明装置１０２を説明するための概略図である。
【図１４】本発明の実施形態２に対応する、透過原稿用照明光源１０６を利用してフィルム原稿１２０を読み取る場合の、透過原稿用照明光源１０６と遮光板１３０１との位置関係を説明するための図である。
【図１５】本発明の実施形態２に対応する、反射原稿用照明光源１１４を利用してフィルム原稿１２０を読み取る場合の、透過原稿用照明光源１０６と遮光板１３０１との位置関係を説明するための図である。
【図１６】本発明の実施形態２に対応する、画像読取装置１００における処理の一例に対応するフローチャートである。
【図１】
2005197807.tif 000003
【図２】
2005197807.tif 000004
【図３】
2005197807.tif 000005
【図４】
2005197807.tif 000006
【図５】
2005197807.tif 000007
【図６】
2005197807.tif 000008
【図７】
2005197807.tif 000009
【図８】
2005197807.tif 000010
【図９】
2005197807.tif 000011
【図１０】
2005197807.tif 000012
【図１１】
2005197807.tif 000013
【図１２】
2005197807.tif 000014
【図１３】
2005197807.tif 000015
【図１４】
2005197807.tif 000016
【図１５】
2005197807.tif 000017
【図１６】
2005197807.tif 000018
【手続補正書】
【提出日】平成16年2月3日(2004.2.3)
【手続補正１】
【補正対象書類名】特許請求の範囲
【補正対象項目名】全文
【補正方法】変更
【補正の内容】
【特許請求の範囲】
【請求項１】
原稿に対して第１の側に位置する第１の光源と、
前記原稿に対して前記第１の側とは逆の第２の側に位置する第２の光源と、
前記第１の光源から照射され前記原稿を透過した光、及び、前記第２の光源から照射され前記原稿で反射した光を受光し、電子的な画像データを取得するデータ取得手段と、
前記第１及び第２の光源と前記データ取得手段の動作を制御する制御手段とを備え、
前記制御手段は、前記第１及び第２の光源の双方を点灯させている場合に、前記データ取得手段が前記第１の光源から照射された光を受光しない位置へ前記第１の光源を移動させることを特徴とする画像読取装置。
【請求項２】
前記第１の光源から照射され前記原稿を透過した光を前記データ取得手段が受光して前記電子的な画像データを取得する場合に、前記制御手段は、前記第１の光源のみを点灯させることを特徴とする請求項１に記載の画像読取装置。
【請求項３】
原稿に対して第１の側に位置する第１の光源と、
前記原稿に対して前記第１の側とは逆の第２の側に位置する第２の光源と、
前記第１の光源から照射され前記原稿を透過した光、及び、前記第２の光源から照射され前記原稿で反射した光を受光し、電子的な画像データを取得するデータ取得手段と、
前記第１の光源から照射される光を遮蔽するための遮蔽手段と、
前記遮蔽手段を移動させるための移動手段と、
前記第１及び第２の光源、前記データ取得手段、及び前記移動手段の動作を制御する制御手段とを備え、
前記制御手段は、前記第１及び第２の光源の双方を点灯させている場合に、前記データ取得手段が前記第１の光源から照射された光を受光しないように前記移動手段に前記遮蔽手段を移動させて前記第１の光源からの光を遮蔽させることを特徴とする画像読取装置。
【請求項４】
前記第１の光源から照射され前記原稿を透過した光を前記データ取得手段が受光して前記電子的な画像データを取得する場合に、前記制御手段は、前記第１の光源のみを点灯させることを特徴とする請求項３に記載の画像読取装置。
【請求項５】
前記原稿で反射した光に基づいて前記データ取得手段により取得された画像データから、前記原稿上に形成された非画像情報を検出する検出手段と、
前記検出手段により検出された前記非画像情報に基づいて、前記原稿を透過した光に基づいて前記データ取得手段により取得された画像データを補正する補正手段と
を更に備えることを特徴とする請求項２又は４に記載の画像読取装置。
【請求項６】
前記非画像情報は、前記原稿に付着したゴミ又はキズの位置及び大きさに関する情報であることを特徴とする請求項５に記載の画像読取装置。
【請求項７】
前記検出手段は、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項５又は６に記載の画像読取装置。
【請求項８】
請求項２又は請求項４に記載の画像読取装置と、
前記原稿で反射した光に基づいて前記データ取得手段により取得された画像データから、前記原稿上に形成された非画像情報を検出する検出手段と、前記検出手段により検出された前記非画像情報に基づいて、前記原稿を透過した光に基づいて前記データ取得手段により取得された画像データを補正する補正手段とを備える画像処理装置とから構成されることを特徴とする画像処理システム。
【請求項９】
前記非画像情報は、前記原稿に付着したゴミ又はキズの位置及び大きさに関する情報であることを特徴とする請求項８に記載の画像処理システム。
【請求項１０】
前記検出手段は、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項８又は９に記載の画像処理システム。
【請求項１１】
原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備える画像読取装置の制御方法であって、
前記第１の光源を点灯させる工程と、
前記第２の光源を点灯させる工程と、
前記第１及び第２の光源の双方を点灯させている場合に、前記データ取得手段が前記第１の光源から照射された光を受光しない位置へ前記第１の光源を移動させる工程と、
前記第２の光源から照射され前記原稿で反射した光を前記データ取得手段により受光し、電子的な画像データを取得する第１の取得工程と
を備えることを特徴とする画像読取装置の制御方法。
【請求項１２】
前記第２の光源を消灯させる工程と、
前記第２の光源の消灯後に、前記第１の光源から照射され前記原稿を透過した光を前記データ取得手段により受光し、電子的な画像データを取得する第２の取得工程と
を更に備えることを特徴とする請求項１１に記載の画像読取装置の制御方法。
【請求項１３】
原稿に対して第１の側に位置する第１の光源と、前記原稿に対して前記第１の側とは逆の第２の側に位置する第２の光源と、前記第１の光源から前記原稿を透過した光、及び、前記第２の光源から照射され前記原稿で反射した光を受光し、電子的な画像データを取得するデータ取得手段とを備える画像読取装置の制御方法であって、
前記第１の光源を点灯させる工程と、
前記第２の光源を点灯させる工程と、
前記第１及び第２の光源の双方を点灯させている場合に、前記第１の光源から照射される光を遮蔽するための遮蔽手段を移動させて前記第１の光源からの光を遮蔽する工程と、
前記第１の光源から照射された光が遮蔽された状態で、前記第２の光源から照射され前記原稿で反射した光を前記データ取得手段により受光し、電子的な画像データを取得する第１の取得工程と
を備えることを特徴とする画像読取装置の制御方法。
【請求項１４】
前記第２の光源を消灯させる工程と、
前記第２の光源の消灯後に、前記第１の光源から照射され前記原稿を透過した光を前記データ取得手段により受光し、電子的な画像データを取得する第２の取得工程と
を更に備えることを特徴とする請求項１３に記載の画像読取装置の制御方法。
【請求項１５】
前記原稿で反射した光に基づいて前記データ取得手段により取得された画像データから、前記原稿上に形成された非画像情報を検出する検出工程と、
前記検出工程において検出された前記非画像情報に基づいて、前記原稿を透過した光に基づいて前記データ取得手段により取得された画像データを補正する補正工程と
を更に備えることを特徴とする請求項１２又は１４に記載の画像読取装置の制御方法。
【請求項１６】
前記非画像情報は、前記原稿に付着したゴミ又はキズの位置及び大きさに関する情報であることを特徴とする請求項１５に記載の画像読取装置の制御方法。
【請求項１７】
前記検出工程では、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項１５又は１６に記載の画像読取装置の制御方法。
【請求項１８】
請求項１１乃至請求項１７のいずれか１項に記載の画像読取装置の制御方法をコンピュータに実行させるための画像読取装置の制御プログラム。
【請求項１９】
請求項１８に記載の画像読取装置の制御プログラムを格納した、コンピュータで読取可能な記録媒体。
【手続補正２】
【補正対象書類名】明細書
【補正対象項目名】０００９
【補正方法】変更
【補正の内容】
【０００９】
上記課題を解決するための本発明は、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段と、前記第１及び第２の光源と前記データ取得手段との動作を制御する制御手段とを備え、前記制御手段は、前記第１及び第２の光源の双方を点灯させている場合に、前記データ取得手段が前記第１の光源から照射された光を受光しない位置へ前記第１の光源を移動させることを特徴とする。
また、請求項５に記載の画像処理装置によれば、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段と、前記第１の光源から照射される光を遮蔽するための遮蔽手段と、前記遮蔽手段を移動させるための移動手段と、前記第１及び第２の光源、前記データ取得手段、及び前記移動手段の動作を制御する制御手段とを備え、前記制御手段は、前記第１及び第２の光源の双方を点灯させている場合に、前記データ取得手段が前記第１の光源から照射された光を受光しないように前記移動手段に前記遮蔽手段を移動させて前記第１の光源からの光を遮蔽させることを特徴とする。
さらに、請求項１１に記載の画像読取装置の制御方法によれば、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備える画像読取装置の制御方法であって、前記第１の光源を点灯させる工程と、前記第２の光源を点灯させる工程と、前記第１及び第２の光源の双方を点灯させている場合に、前記データ取得手段が前記第１の光源から照射された光を受光しない位置へ前記第１の光源を移動させる工程と、前記第２の光源から照射され前記原稿で反射した光を前記データ取得手段により受光し、電子的な画像データを取得する第１の取得工程とを備えることを特徴とする。
また、請求項１３に記載の画像読取装置の制御方法によれば、原稿に対して第１の側に位置する第１の光源と、前記原稿に対して前記第１の側とは逆の第２の側に位置する第２の光源と、前記第１の光源から前記原稿を透過した光、及び、前記第２の光源から照射され前記原稿で反射した光を受光し、電子的な画像データを取得するデータ取得手段とを備える画像読取装置の制御方法であって、前記第１の光源を点灯させる工程と、前記第２の光源を点灯させる工程と、前記第１及び第２の光源の双方を点灯させている場合に、前記第１の光源から照射される光を遮蔽するための遮蔽手段を移動させて前記第１の光源からの光を遮蔽する工程と、前記第１の光源から照射された光が遮蔽された状態で、前記第２の光源から照射され前記原稿で反射した光を前記データ取得手段により受光し、電子的な画像データを取得する第１の取得工程とを備えることを特徴とする。